(57)【要約】【課題】作業台などに載置されている場合に、当該作業台から容易に持ち上げることができる照明用光源を提供する。【解決手段】照明用光源としてのＬＥＤユニット１であって、前方に光を発する発光素子２１ａが設けられた実装基板２０と、実装基板２０の後方に配置される支持台４０と、支持台４０とで実装基板２０を前後方向に挟み込むように配置される筐体１０とを備え、支持台４０の後側の面を含むＬＥＤユニット１の後側の面である底面１ａには、平面状の第一面部４０ｂが形成され、第一面部４０ｂよりも外側に配置される底面１ａの外周部４４、４５には、第一面部４０ｂよりも前方に配置される第二面部４４ａ、４５ａが形成されている。【選択図】図９
2014175266.tif 000002
【特許請求の範囲】
【請求項１】
照明用光源であって、
前方に光を発する発光素子が設けられた基板と、
前記基板の後方に配置される支持台と、
前記支持台とで前記基板を前後方向に挟み込むように配置される筐体とを備え、
前記支持台の後側の面を含む前記照明用光源の後側の面である底面には、平面状の第一面部が形成され、
前記第一面部よりも外側に配置される前記底面の外周部には、前記第一面部よりも前方に配置される第二面部が形成されている
照明用光源。
【請求項２】
前記第二面部は、前記第一面部から前方に向けて階段状の段差を形成する平面である
請求項１に記載の照明用光源。
【請求項３】
前記第二面部は、前記第一面部から前方に向けて傾斜する傾斜面である
請求項１に記載の照明用光源。
【請求項４】
前記第二面部は、前記第一面部から前方に向けて湾曲した曲面である
請求項１に記載の照明用光源。
【請求項５】
前記第二面部は、前記底面の曲線形状の外縁を含む外周部に形成されている
請求項１〜４のいずれか１項に記載の照明用光源。
【請求項６】
前記第二面部は、前記支持台の後側の面の外周部に形成されている
請求項１〜５のいずれか１項に記載の照明用光源。
【請求項７】
請求項１〜６のいずれか１項に記載の照明用光源と、
当該照明用光源が取り付けられ、前記照明用光源に給電を行うための照明器具と
を備える照明装置。
【発明の詳細な説明】
【技術分野】
【０００１】
本発明は、光源としてＬＥＤ等の発光素子が用いられる照明用光源及び当該照明用光源を備える照明装置に関する。
【背景技術】
【０００２】
従来、光源として発光ダイオード（ＬＥＤ：Ｌｉｇｈｔ  Ｅｍｉｔｔｉｎｇ  Ｄｉｏｄｅ）が用いられた円盤状または扁平状の照明用光源であるＬＥＤランプが提案されている（例えば、特許文献１参照）。このようなＬＥＤランプにおいては、一般的に、発光素子が設けられた基板と、基板を支持する支持台と、円盤状または扁平状の筐体とを備えることで、円盤状または扁平状のＬＥＤランプが構成されている。そして、当該ＬＥＤランプが作業台などに載置されている場合には、当該ＬＥＤランプを当該作業台から持ち上げて照明器具への取り付け作業等を行う。
【先行技術文献】
【特許文献】
【０００３】
【特許文献１】米国特許出願公開第２０１２／０２３６５３２号明細書
【発明の概要】
【発明が解決しようとする課題】
【０００４】
しかしながら、上記従来のＬＥＤランプでは、当該ＬＥＤランプが作業台などに載置されている場合に、当該ＬＥＤランプを当該作業台から持ち上げ難いため、照明器具への取り付け作業などの作業性が低下するという問題がある。
【０００５】
つまり、上記従来のＬＥＤランプは、円盤状または扁平状の厚みが薄い外形を有するため、当該ＬＥＤランプが作業台などに載置されている場合に、当該ＬＥＤランプを当該作業台から持ち上げ難く、当該ＬＥＤランプを取り扱い難い。このため、当該ＬＥＤランプを照明器具に取り付ける際などに、作業性が低下する。
【０００６】
本発明は、上記問題を解決するためになされたものであり、作業台などに載置されている場合に、当該作業台から容易に持ち上げることができる照明用光源及び当該照明用光源を備えた照明装置を提供することを目的とする。
【課題を解決するための手段】
【０００７】
上記目的を達成するために、本発明の一態様に係る照明用光源は、照明用光源であって、前方に光を発する発光素子が設けられた基板と、前記基板の後方に配置される支持台と、前記支持台とで前記基板を前後方向に挟み込むように配置される筐体とを備え、前記支持台の後側の面を含む前記照明用光源の後側の面である底面には、平面状の第一面部が形成され、前記第一面部よりも外側に配置される前記底面の外周部には、前記第一面部よりも前方に配置される第二面部が形成されていることを特徴とする。
【０００８】
また、前記第二面部は、前記第一面部から前方に向けて階段状の段差を形成する平面であることにしてもよい。
【０００９】
また、前記第二面部は、前記第一面部から前方に向けて傾斜する傾斜面であることにしてもよい。
【００１０】
また、前記第二面部は、前記第一面部から前方に向けて湾曲した曲面であることにしてもよい。
【００１１】
また、前記第二面部は、前記底面の曲線形状の外縁を含む外周部に形成されていることにしてもよい。
【００１２】
また、前記第二面部は、前記支持台の後側の面の外周部に形成されていることにしてもよい。
【００１３】
また、上記目的を達成するために、本発明の一態様に係る照明装置は、上記の照明用光源と、当該照明用光源が取り付けられ、前記照明用光源に給電を行うための照明器具とを備えることを特徴とする。
【発明の効果】
【００１４】
本発明によれば、作業台などに載置されている場合に、当該作業台から容易に持ち上げることができる照明用光源及び当該照明用光源を備えた照明装置を実現することができる。
【図面の簡単な説明】
【００１５】
【図１Ａ】本発明の実施の形態１に係るＬＥＤユニットを斜め前方から見た場合の外観を示す斜視図である。
【図１Ｂ】本発明の実施の形態１に係るＬＥＤユニットを斜め後方から見た場合の外観を示す斜視図である。
【図２】本発明の実施の形態１に係るＬＥＤユニットを前後方向に切断した場合の断面図である。
【図３】本発明の実施の形態１に係るＬＥＤユニットを分解した場合の各構成要素を示す分解斜視図である。
【図４】本発明の実施の形態１に係る筐体を前方から見た場合の平面図である。
【図５】本発明の実施の形態１に係る筐体を側方及び後方から見た場合の平面図である。
【図６】本発明の実施の形態１に係る支持台を前方から見た場合の平面図である。
【図７】本発明の実施の形態１に係る支持台を側方及び後方から見た場合の平面図である。
【図８】本発明の実施の形態１に係る支持台を斜め後方から見た場合の斜視図である。
【図９】本発明の実施の形態１に係るＬＥＤユニットを斜め後方から見た場合の斜視図である。
【図１０】本発明の実施の形態１に係るＬＥＤユニットを作業台から容易に持ち上げることができることを説明するための図である。
【図１１】本発明の実施の形態１の変形例１に係るＬＥＤユニットを斜め後方から見た場合の斜視図である。
【図１２】本発明の実施の形態１の変形例１に係る支持台を斜め後方から見た場合の斜視図である。
【図１３】本発明の実施の形態１の変形例２に係るＬＥＤユニットを斜め後方から見た場合の斜視図である。
【図１４】本発明の実施の形態２に係る照明装置の構成を示す断面図である。
【発明を実施するための形態】
【００１６】
以下、本発明の実施の形態に係る照明用光源としてのＬＥＤユニット（ＬＥＤランプ）及び照明装置について、図面を参照して説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。また、各図において、寸法等は厳密には一致しない。
【００１７】
（実施の形態１）
まず、本発明の実施の形態１に係るＬＥＤユニット１の概略構成について、説明する。
【００１８】
図１Ａは、本発明の実施の形態１に係るＬＥＤユニット１を斜め前方から見た場合の外観を示す斜視図である。また、図１Ｂは、本発明の実施の形態１に係るＬＥＤユニット１を斜め後方から見た場合の外観を示す斜視図である。また、図２は、本発明の実施の形態１に係るＬＥＤユニット１を前後方向に切断した場合の断面図である。また、図３は、本発明の実施の形態１に係るＬＥＤユニット１を分解した場合の各構成要素を示す分解斜視図である。
【００１９】
ここで、図１Ａ、図２及び図３では、ＬＥＤユニット１から光を取り出す側（以下、光照射側という）が上側となるように、また、図１Ｂでは、光照射側が下側となるように図示されている。以下、光照射側を前側（前方）、光照射側と反対側を後側（後方）、前後方向に交差する方向を側方として、説明を行う。
【００２０】
これらの図に示すように、ＬＥＤユニット１は、全体形状が矩形で扁平状の照明用光源であり、照明器具（図示せず）に取り付けられて光を照射する。具体的には、ＬＥＤユニット１は、例えば外径が５０ｍｍ〜１００ｍｍ、高さが１０ｍｍ〜３０ｍｍのＬＥＤランプである。ここで、ＬＥＤユニット１は、筐体１０と、実装基板２０と、絶縁体３０と、支持台４０とを備えている。
【００２１】
筐体１０は、ＬＥＤユニット１の光照射側（前方）に配置された、前後方向の長さが短い扁平形状（平盤状）で矩形形状の筐体である。具体的には、筐体１０は、前部及び後部に開口部を有し、後部で支持台４０と接続されている。そして、筐体１０と支持台４０とで形成される空間には、実装基板２０と絶縁体３０とが配置されている。つまり、筐体１０は、支持台４０とで実装基板２０を前後方向に挟み込むように配置されている。筐体１０は、ＰＢＴ（ポリブチレンテレフタレート）などの絶縁性を有する合成樹脂からなる樹脂筐体で構成される。なお、筐体１０の構成の詳細な説明については、後述する。
【００２２】
実装基板２０は、筐体１０の内方に配置され、半導体発光素子等の発光素子２１ａが設けられた基板である。実装基板２０は、例えば、平板状で構成されており、発光素子２１ａが搭載される一方の面と支持台４０に対して熱的に接続可能な他の面とを有している。また、実装基板２０は、熱伝導性が高い材料で構成することが好ましく、例えば、アルミナからなるアルミナ基板により構成される。なお、実装基板２０としては、アルミナ基板以外に、窒化アルミニウム等のその他のセラミック基板、アルミ、銅等の金属基板、高熱伝導樹脂などからなる樹脂基板、あるいは、金属と樹脂との積層構造を有するようなメタルベース基板等を用いてもかまわない。
【００２３】
具体的には、実装基板２０には、前方に光を発する発光素子２１ａを有する発光部２１が設けられている。発光部２１は、実装基板２０に実装された単数または複数のＬＥＤチップ（図示せず）と、封止部材（図示せず）とを備えている。ＬＥＤチップは、実装基板２０の一方の面上にダイボンディング等によって実装される。
【００２４】
なお、ＬＥＤチップとしては、例えば、中心波長が４４０ｎｍ〜４７０ｎｍの青色光を発光する青色発光ＬＥＤチップが用いられる。また、封止部材は、ＬＥＤチップを封止してＬＥＤチップを保護するとともにＬＥＤチップからの光を波長変換するために、蛍光体を含む樹脂で構成された蛍光体含有樹脂である。封止部材としては、例えば、ＬＥＤチップが青色発光ＬＥＤである場合、白色光を得るために、ＹＡＧ（イットリウム・アルミニウム・ガーネット）系の黄色蛍光体粒子をシリコン樹脂に分散させた蛍光体含有樹脂を用いることができる。これにより、発光部２１（封止部材）からは、蛍光体粒子によって波長変換された黄色光と青色発光ＬＥＤチップからの青色光とによって白色光が放出される。
【００２５】
また、発光部２１の外径は、例えば５ｍｍ〜５０ｍｍであり、ＬＥＤユニット１が２０Ｗ型のＬＥＤランプの場合には、発光部２１の外径は、例えば２０ｍｍである。
【００２６】
なお、本実施の形態では、丸型の発光部２１を例示したが、本発明において、発光部の形状または構造は丸型のものに限定されない。例えば、角型の発光部を用いてもよい。また、複数のＬＥＤチップの並びは特に限定されず、例えば、ＬＥＤチップをライン状に封止したり、マトリックス状に封止したり、円形状に封止したりすることができる。
【００２７】
また、実装基板２０の端部の両隅には、コネクタ２２及び２３が配置されており、図１Ａに示すように、コネクタ２２及び２３には、照明器具と発光部２１とを電気的に接続するためのリード線の先端に配置されたリード線先端部２２ａ及び２３ａが挿入される。なお、同図では、リード線は省略して図示している。ここで、リード線先端部２２ａ及び２３ａは、給電用のピンであり、具体的には円柱状の金属製のピンである。つまり、リード線先端部２２ａ及び２３ａを介して、照明器具から電力を受電して、当該電力を実装基板２０上の配線を介して発光部２１に供給することで、発光部２１のＬＥＤチップを発光させる。
【００２８】
なお、コネクタ２２及び２３には、アース用のピンがさらに挿入されることにしてもよいし、例えば調光を行う場合には、調光用のピンが挿入されることにしてもよい。また、コネクタ２２及び２３の配置位置についても限定されず、どこに配置されていてもかまわない。また、リード線先端部２２ａ及び２３ａの形状は、円柱状に限らず、矩形の柱状、板状など、どのような形状であってもかまわない。また、リード線の先端にはリード線先端部２２ａ及び２３ａが配置されておらず、リード線がコネクタ２２及び２３に直接挿入されてもよい。
【００２９】
絶縁体３０は、実装基板２０と支持台４０とを絶縁するための絶縁性のシートであり、実装基板２０と支持台４０との間に挟まれるように配置されている。具体的には、絶縁体３０は、実装基板２０の前面の充電部と支持台４０との間の絶縁距離を確保するために、実装基板２０の周囲を覆うように環状に形成された部材である。支持台４０上に絶縁体３０が配置されて、絶縁体３０上に実装基板２０が配置されることで、実装基板２０と支持台４０とが絶縁される。なお、絶縁体３０は、例えばゴムまたは樹脂製のシートであり、具体的にはシリコン、ナイロン、ＰＥＴ（ポリエチレンテレフタレート）、アクリルなどから形成される。
【００３０】
支持台４０は、照明器具に接続される部材である。具体的には、支持台４０は、ネジ止めなどによって照明器具に取り付けられ固定される。また、支持台４０は、実装基板２０が取り付けられる台座であって、実装基板２０の光照射側とは反対側（後方）に配置されている。また、支持台４０は、ネジ止めなどによって照明器具に取り付けられるため金属製の部材であるのが好ましく、アルミニウムなどの熱伝導性が高い材料で構成することがさらに好ましい。つまり、支持台４０は、実装基板２０の熱を照明器具に伝熱することで、実装基板２０が発生した熱を放熱させる役割を担う。なお、支持台４０は、無機フィラーを含有した高熱伝道樹脂やセラミックスなどによって構成されていてもよい。支持台４０の構成の詳細な説明については、後述する。
【００３１】
なお、支持台４０の前面または後面には、実装基板２０からの熱を照明器具側に逃がすための伝熱性の熱伝導部材が配置されていてもよい。熱伝導部材としては、例えば、シリコンシートまたはアクリルシートなどのゴムまたは樹脂製のシートや、グリスなど液状の部材などが考えられる。
【００３２】
また、筐体１０の内方または前方に、発光部２１から照射される光を反射する反射鏡が接続されてもよい。ここで、反射鏡としては、ポリカーボネートなどで形成された絶縁性を有する白色の合成樹脂材料によって構成されたものが考えられる。また、筐体１０の前面に、透光性のカバーが配置されてもよい。ここで、透光性のカバーとしては、ポリカーボネートなどの光透過率の高い合成樹脂材料によって構成されたものが考えられる。
【００３３】
また、筐体１０の内方または外方に、発光素子２１ａを駆動する回路素子（電子部品）を有する駆動回路が設けられ、発光素子２１ａを発光、消光または調光させることにしてもよい。回路素子としては、例えば、各種コンデンサ、抵抗素子、整流回路素子、コイル素子、チョークコイル（チョークトランス）、ノイズフィルタ、ダイオードまたは集積回路素子等が考えられる。
【００３４】
次に、筐体１０の構成について、詳細に説明する。
【００３５】
図４は、本発明の実施の形態１に係る筐体１０を前方から見た場合の平面図である。また、図５は、本発明の実施の形態１に係る筐体１０を側方及び後方から見た場合の平面図である。
【００３６】
これらの図に示すように、筐体１０は、第一筐体側面部１１と、第二筐体側面部１２と、第三筐体側面部１３とを備えている。ここで、第一筐体側面部１１は、平面状の側面を有する部位であり、第二筐体側面部１２は、第一筐体側面部１１と対向する位置に配置され平面状の側面を有する部位である。また、第三筐体側面部１３は、第一筐体側面部１１と第二筐体側面部１２とを繋ぐ、平面状の側面を有する部位である。
【００３７】
具体的には、第一筐体側面部１１は、第一筐体平面部１１ａ及び１１ｂと、第一筐体凹部１１ｃとを有している。ここで、第一筐体平面部１１ａ及び１１ｂは、平面状の側面である。また、第一筐体凹部１１ｃは、第一筐体平面部１１ａと第一筐体平面部１１ｂとの間に配置された凹形状の側面であり、円弧形状に凹んだ形状を有している。つまり、第一筐体側面部１１は、平面状の側面を円弧形状に切り欠いたような形状を有している。
【００３８】
第二筐体側面部１２は、第二筐体平面部１２ａ及び１２ｂと、第二筐体凹部１２ｃとを有している。ここで、第二筐体平面部１２ａ及び１２ｂは、平面状の側面であって、第一筐体平面部１１ａ及び１１ｂと対向する位置に配置されている。また、第二筐体凹部１２ｃは、第二筐体平面部１２ａと第二筐体平面部１２ｂとの間であって第一筐体凹部１１ｃと対向する位置に配置された凹形状の側面であり、円弧形状に凹んだ形状を有している。つまり、第二筐体側面部１２は、第一筐体側面部１１と同様に、平面状の側面を円弧形状に切り欠いたような形状を有している。
【００３９】
第三筐体側面部１３は、第三筐体平面部１３ａ及び１３ｂと、筐体曲面部１３ｃ及び１３ｄとを有している。ここで、第三筐体平面部１３ａ及び１３ｂは、平面状の側面であって、筐体曲面部１３ｃ及び１３ｄは、第三筐体平面部１３ａ及び１３ｂを挟むように配置された曲面状の側面である。つまり、筐体曲面部１３ｃは、第二筐体平面部１２ａと第三筐体平面部１３ａとの間に配置され、第二筐体平面部１２ａと第三筐体平面部１３ａとを繋ぐ断面が円弧形状の曲面である。また、筐体曲面部１３ｄは、第一筐体平面部１１ａと第三筐体平面部１３ｂとの間に配置され、第一筐体平面部１１ａと第三筐体平面部１３ｂとを繋ぐ断面が円弧形状の曲面である。
【００４０】
また、図５に示すように、筐体１０は、支持台４０と接続するための突出状の筐体突出部１４、１５、１６及び１７を備えている。筐体突出部１４、１５、１６及び１７は、筐体１０の内方に向けて突出した板状の突起であり、筐体突出部１４と筐体突出部１５とが対向して配置され、筐体突出部１６と筐体突出部１７とが対向して配置されている。つまり、一対の筐体突出部１４及び１５と、一対の筐体突出部１６及び１７とが支持台４０と接続されて、筐体１０が支持台４０に固定される。
【００４１】
なお、筐体１０の形状は、上記には限定されず、第一筐体側面部１１または第二筐体側面部１２は、第一筐体凹部１１ｃまたは第二筐体凹部１２ｃが形成されない平面状の部位であってもよいし、第一筐体側面部１１、第二筐体側面部１２または第三筐体側面部１３は曲面状の部位であってもよい。つまり、筐体１０は、前方から見て、多角形状、円形状などどのような形状であってもよい。
【００４２】
次に、支持台４０の構成について、詳細に説明する。
【００４３】
図６は、本発明の実施の形態１に係る支持台４０を前方から見た場合の平面図である。また、図７は、本発明の実施の形態１に係る支持台４０を側方及び後方から見た場合の平面図である。また、図８は、本発明の実施の形態１に係る支持台４０を斜め後方から見た場合の斜視図である。また、図９は、本発明の実施の形態１に係るＬＥＤユニット１を斜め後方から見た場合の斜視図である。
【００４４】
まず、図６〜図８に示すように、支持台４０は、第一支持台側面部４１と、第二支持台側面部４２と、第三支持台側面部４３とを備えている。ここで、第一支持台側面部４１は、平面状の側面を有する部位であり、第二支持台側面部４２は、第一支持台側面部４１と対向する位置に配置され平面状の側面を有する部位である。また、第三支持台側面部４３は、第一支持台側面部４１と第二支持台側面部４２とを繋ぐ、平面状の側面を有する部位である。
【００４５】
具体的には、第一支持台側面部４１は、第一支持台平面部４１ａ及び４１ｂと、第一支持台凹部４１ｃとを有している。ここで、第一支持台平面部４１ａ及び４１ｂは、平面状の側面である。また、第一支持台凹部４１ｃは、第一支持台平面部４１ａと第一支持台平面部４１ｂとの間の、第一筐体凹部１１ｃと対応する位置に配置された凹形状の側面であり、矩形状に凹んだ形状を有している。つまり、第一支持台側面部４１は、平面状の側面を矩形状に切り欠いたような形状を有している。
【００４６】
第二支持台側面部４２は、第二支持台平面部４２ａ及び４２ｂと、第二支持台凹部４２ｃとを有している。ここで、第二支持台平面部４２ａ及び４２ｂは、平面状の側面であって、第一支持台平面部４１ａ及び４１ｂと対向する位置に配置されている。また、第二支持台凹部４２ｃは、第二支持台平面部４２ａと第二支持台平面部４２ｂとの間に配置された凹形状の側面であり、矩形状に凹んだ形状を有している。また、第二支持台凹部４２ｃは、第二筐体凹部１２ｃと対応する位置であって、第一支持台凹部４１ｃと対向する位置に配置されている。つまり、第一支持台凹部４１ｃと第二支持台凹部４２ｃとは、対向する一対の矩形状の切欠きであり、第二支持台側面部４２は、第一支持台側面部４１と同様に、平面状の側面を矩形状に切り欠いたような形状を有している。
【００４７】
第三支持台側面部４３は、第三支持台平面部４３ａ及び４３ｂと、支持台曲面部４３ｃ及び４３ｄとを有している。ここで、第三支持台平面部４３ａ及び４３ｂは、平面状の側面であって、支持台曲面部４３ｃ及び４３ｄは、第三支持台平面部４３ａ及び４３ｂを挟むように配置された曲面状の側面である。つまり、支持台曲面部４３ｃは、第二支持台平面部４２ａと第三支持台平面部４３ａとの間に配置され、第二支持台平面部４２ａと第三支持台平面部４３ａとを繋ぐ断面が円弧形状の曲面である。また、支持台曲面部４３ｄは、第一支持台平面部４１ａと第三支持台平面部４３ｂとの間に配置され、第一支持台平面部４１ａと第三支持台平面部４３ｂとを繋ぐ断面が円弧形状の曲面である。
【００４８】
また、図９に示すように、支持台４０の後側の面である支持台底面４０ａを含むＬＥＤユニット１の後側の面である底面１ａには、平面状の第一面部４０ｂが形成されている。本実施の形態では、第一面部４０ｂは、支持台４０の支持台底面４０ａに含まれる平面状の面である。なお、第一面部４０ｂは、支持台底面４０ａに含まれる平面状の面でなくともよく、例えば絶縁体３０の後側の面に含まれる平面状の面であってもよいし、筐体１０が後側の面を有する場合には、当該筐体１０の後側の面に含まれる平面状の面などであってもよい。
【００４９】
そして、第一面部４０ｂよりも外側に配置される底面１ａの外周部４４、４５には、第一面部４０ｂよりも前方に配置される第二面部４４ａ、４５ａが形成されている。また、第二面部４４ａ、４５ａは、底面１ａの曲線形状の外縁を含む外周部４４、４５に形成されている。
【００５０】
本実施の形態では、図７及び図８に示すように、外周部４４、４５は、支持台４０の支持台底面４０ａの外周部分であり、第二面部４４ａ、４５ａは、支持台４０の後側の面である支持台底面４０ａの外周部４４、４５に形成されている。また、外周部４４、４５は、支持台４０の支持台曲面部４３ｄ、４３ｃで形成される曲線形状の外縁を含む外周部分である。つまり、当該曲線形状の外縁とは、支持台４０の支持台底面４０ａと支持台曲面部４３ｄ、４３ｃとが交わる曲線部分であり、第二面部４４ａ、４５ａは、支持台底面４０ａの当該曲線形状の外縁を含む外周部４４、４５に形成されている。
【００５１】
なお、外周部４４、４５は、支持台底面４０ａの外周部分でなくともよく、例えば絶縁体３０の後側の面の外周部分であってもよいし、筐体１０が後側の面を有する場合には、当該筐体１０の後側の面の外周部分などであってもよい。つまり、第二面部４４ａ、４５ａは、絶縁体３０や筐体１０の後側の面の曲線形状の外縁を含む外周部４４、４５に形成されていることにしてもよい。
【００５２】
具体的には、本実施の形態では、外周部４４は、第二面部４４ａと支持台溝部４４ｂとを有しており、外周部４５は、第二面部４５ａと支持台溝部４５ｂとを有している。
【００５３】
第二面部４４ａは、支持台曲面部４３ｄに対応した支持台底面４０ａ上の面であり、第一面部４０ｂよりも前方に配置されている。具体的には、第二面部４４ａは、第一面部４０ｂから前方に向けて階段状の段差を形成する平面である。つまり、第一面部４０ｂと第二面部４４ａとで階段状の段差を形成しており、第二面部４４ａで一段前方に凹んだ形状を形成している。
【００５４】
また、同様に、第二面部４５ａは、支持台曲面部４３ｃに対応した支持台底面４０ａ上の面であり、第一面部４０ｂよりも前方に配置されている。具体的には、第二面部４５ａは、第一面部４０ｂから前方に向けて階段状の段差を形成する平面である。つまり、第一面部４０ｂと第二面部４５ａとで階段状の段差を形成しており、第二面部４５ａで一段前方に凹んだ形状を形成している。
【００５５】
また、図７及び図８に示すように、支持台溝部４４ｂ及び支持台溝部４５ｂは、筐体１０と支持台４０とを接続するための部位である。また、支持台４０は、さらに、筐体１０と接続するための部位である支持台溝部４６及び４７を備えている。
【００５６】
支持台溝部４４ｂ、４５ｂ、４６及び４７は、支持台４０の周囲に形成された溝であり、一対の支持台溝部４４ｂ及び４５ｂが一対の筐体突出部１４及び１５と嵌合可能に配置され、一対の支持台溝部４６及び４７が一対の筐体突出部１６及び１７と嵌合可能に配置されている。つまり、一対の支持台溝部４４ｂ及び４５ｂと一対の筐体突出部１４及び１５とが接続され、一対の支持台溝部４６及び４７と一対の筐体突出部１６及び１７とが接続されて、筐体１０と支持台４０とが固定される。
【００５７】
なお、支持台４０の形状は、上記には限定されず、第一支持台側面部４１または第二支持台側面部４２は、第一支持台凹部４１ｃまたは第二支持台凹部４２ｃが形成されない平面状の部位であってもよいし、第一支持台側面部４１、第二支持台側面部４２または第三支持台側面部４３は曲面状の部位であってもよい。つまり、支持台４０は、前方から見て、多角形状、円形状などどのような形状であってもよい。
【００５８】
次に、ＬＥＤユニット１が作業台に載置されている場合に、当該作業台から容易に持ち上げることができることについて、詳細に説明する。
【００５９】
図１０は、本発明の実施の形態１に係るＬＥＤユニット１を作業台７０から容易に持ち上げることができることを説明するための図である。
【００６０】
同図の（ａ）に示すように、ＬＥＤユニット１が作業台７０に載置されている場合、ＬＥＤユニット１の底面１ａまたは支持台４０の支持台底面４０ａに形成された平面状の第一面部４０ｂが、作業台７０の上面に当接して配置されている。そして、ＬＥＤユニット１を作業台７０から持ち上げる場合には、ＬＥＤユニット１の例えば第二面部４４ａの前方の上面（同図に示すＦの位置）を押す。
【００６１】
これにより、第二面部４４ａは第一面部４０ｂよりも前方（同図では上方）に配置されているため、同図の（ｂ）に示すように、ＬＥＤユニット１の第一面部４０ｂが作業台７０から離れ、ＬＥＤユニット１が作業台７０上で傾斜する。そして、このＬＥＤユニット１が傾斜した状態で、ＬＥＤユニット１の下方に紙や指などを挿入したりすることにより、ＬＥＤユニット１を容易に持ち上げることができる。
【００６２】
以上のように、本発明の実施の形態１に係る照明用光源であるＬＥＤユニット１によれば、支持台４０の後側の面を含むＬＥＤユニット１の後側の面である底面１ａには、平面状の第一面部４０ｂが形成され、第一面部４０ｂよりも外側に配置される外周部４４、４５には、第一面部４０ｂよりも前方に配置される第二面部４４ａ、４５ａが形成されている。つまり、第一面部４０ｂよりも外側かつ前方に第二面部４４ａ、４５ａが配置されているため、ＬＥＤユニット１が作業台などに載置されている場合に、第二面部４４ａ、４５ａ前方のＬＥＤユニット１の面を押すことで、ＬＥＤユニット１を傾いた状態にすることができる。このため、ＬＥＤユニット１を傾いた状態にすることで、ＬＥＤユニット１を当該作業台から容易に持ち上げることができる。
【００６３】
なお、ＬＥＤユニット１を少しでも傾いた状態にすることができれば、ＬＥＤユニット１の下方に生じた隙間にヘラ状の挿入物を挿入することで、ＬＥＤユニット１を浮き上がらせることができるため、ＬＥＤユニット１を容易に持ち上げることができる。また、ＬＥＤユニット１を傾いた状態にしなくとも、第二面部４４ａまたは４５ａの下方の隙間にヘラ状の挿入物を挿入して当該挿入物を持ち上げることで、ＬＥＤユニット１を浮き上がらせることができるため、ＬＥＤユニット１を容易に持ち上げることができる。
【００６４】
また、第二面部４４ａ、４５ａは、第一面部４０ｂから前方に向けて階段状の段差を形成する平面である。このため、当該段差を形成することで、容易に第二面部４４ａ、４５ａを形成することができる。
【００６５】
また、第二面部４４ａ、４５ａは、底面１ａ（支持台底面４０ａ）の曲線形状の外縁を含む外周部４４、４５に形成されている。ここで、ＬＥＤユニット１が作業台などに載置されている場合に、ＬＥＤユニット１の上面のうち直線形状の部分よりも曲線形状の部分の方が押しやすい。このため、当該曲線形状の部分を押すことで、ＬＥＤユニット１を容易に傾いた状態にすることができ、ＬＥＤユニット１を当該作業台から容易に持ち上げることができる。
【００６６】
また、第二面部４４ａ、４５ａは、支持台４０の後側の面である支持台底面４０ａの外周部４４、４５に形成されている。このため、支持台４０を加工することで第二面部４４ａ、４５ａを形成することができるので、容易に第二面部４４ａ、４５ａを形成することができる。
【００６７】
（実施の形態１の変形例１）
次に、上記実施の形態の変形例１について、説明する。上記実施の形態では、第二面部４４ａ、４５ａは、第一面部４０ｂから前方に向けて階段状の段差を形成する平面であることとした。しかし、本変形例では、第二面部は、第一面部から前方に向けて傾斜する傾斜面である。
【００６８】
図１１は、本発明の実施の形態１の変形例１に係るＬＥＤユニット２を斜め後方から見た場合の斜視図である。また、図１２は、本発明の実施の形態１の変形例１に係る支持台１４０を斜め後方から見た場合の斜視図である。
【００６９】
これらの図に示すように、ＬＥＤユニット２は、支持台１４０を備えており、支持台１４０は、支持台底面１４０ａに形成された平面状の第一面部１４０ｂと、第一面部１４０ｂよりも外側かつ前方に配置される第二面部１４４ａ、１４５ａとを有している。また、第二面部１４４ａ、１４５ａは、第一面部１４０ｂから前方に向けて傾斜する傾斜面である。
【００７０】
なお、本変形例に係るＬＥＤユニット２のその他の構成は、上記実施の形態１に係るＬＥＤユニット１の構成と同様であるため、詳細な説明は省略する。
【００７１】
以上のように、本発明の実施の形態１の変形例１に係る照明用光源であるＬＥＤユニット２によれば、上記実施の形態１と同様の効果を奏することができる。また、第二面部１４４ａ、１４５ａは、第一面部１４０ｂから前方に向けて傾斜する傾斜面であるため、支持台１４０に当該傾斜面を形成することで、容易に第二面部１４４ａ、１４５ａを形成することができる。
【００７２】
また、第二面部１４４ａ、１４５ａは、第一面部１４０ｂから前方に向けて湾曲した曲面であってもよい。これによっても、支持台１４０に当該曲面を形成することで、容易に第二面部１４４ａ、１４５ａを形成することができる。
【００７３】
（実施の形態１の変形例２）
次に、上記実施の形態の変形例２について、説明する。上記実施の形態１及びその変形例１では、第二面部は、支持台に形成されていることとした。しかし、本変形例では、第二面部は、絶縁体に形成されている。
【００７４】
図１３は、本発明の実施の形態１の変形例２に係るＬＥＤユニット３を斜め後方から見た場合の斜視図である。
【００７５】
同図に示すように、ＬＥＤユニット３は、支持台２４０と絶縁体１３０とを備えており、支持台２４０には、底面に形成された平面状の第一面部２４０ｂが形成され、絶縁体１３０には、第二面部１３１が形成されている。ここで、第二面部１３１は、第一面部２４０ｂよりも外側かつ前方に配置される面である。具体的には、第二面部１３１は、第一面部２４０ｂから前方に向けて傾斜する傾斜面である。
【００７６】
なお、本変形例に係るＬＥＤユニット３のその他の構成は、上記実施の形態１に係るＬＥＤユニット１の構成と同様であるため、詳細な説明は省略する。
【００７７】
以上のように、本発明の実施の形態１の変形例２に係る照明用光源であるＬＥＤユニット３によれば、上記実施の形態１と同様の効果を奏することができる。また、第二面部１３１は、第一面部２４０ｂから前方に向けて傾斜する傾斜面であるため、絶縁体１３０に当該傾斜面を形成することで、容易に第二面部１３１を形成することができる。また、コネクタ２２、２３側に第二面部１３１を形成しているため、放熱的に照明器具と接しておく必要性が低い箇所に第二面部１３１を形成でき、比重的に実装部品が多い側に第二面部１３１を形成でき、また、コネクタ２２、２３にリード線を結線している状態で動かしにくいリード線側に第二面部１３１を形成できているという効果も奏する。
【００７８】
また、第二面部１３１は、第一面部２４０ｂから前方に向けて湾曲した曲面であってもよい。これによっても、絶縁体１３０に当該曲面を形成することで、容易に第二面部１３１を形成することができるとともに、上記と同様の効果を奏する。
【００７９】
（実施の形態２）
次に、本発明の実施の形態２に係る照明装置１００について、説明する。
【００８０】
図１４は、本発明の実施の形態２に係る照明装置１００の構成を示す断面図である。なお、本実施の形態に係る照明装置１００では、上記実施の形態１に係るＬＥＤユニット１を用いている。したがって、同図において、上記実施の形態１で示した構成要素と同じ構成要素には同じ符号を付している。
【００８１】
同図に示すように、照明装置１００は、例えば天井の壁２００に取り付けられたダウンライトであり、照明器具６０と、上記実施の形態１に係るＬＥＤユニット１とを備えている。照明器具６０は、ＬＥＤユニット１が取り付けられ、ＬＥＤユニット１に給電を行うための器具であり、ＬＥＤユニット１を覆うように構成された器具本体６１と、ＬＥＤユニット１に電力を供給する電源回路６２とを備えている。また、器具本体６１は、放熱部６１ａと反射部６１ｂとを有しており、電源回路６２は、リード線６２ａを有している。
【００８２】
放熱部６１ａは、ＬＥＤユニット１から伝達される熱を放熱する部位である。放熱部６１ａは、内部に電源回路６２を収容し、また、前面部（下面部）には、ＬＥＤユニット１が固定されている。なお、ＬＥＤユニット１は、放熱部６１ａに対して着脱可能に取り付けられている。
【００８３】
ここで、放熱部６１ａの形状は、放熱に適した形状であれば特に限定されないが、例えば外周に放射状にフィンが形成されたような形状が考えられる。また、放熱部６１ａは、アルミニウムなどの熱伝導性が高い材料で構成することが好ましい。
【００８４】
反射部６１ｂは、前部（下部）に円形の開口が形成された略カップ形状であって、ＬＥＤユニット１の側方を囲うように構成されている。具体的には、反射部６１ｂは、放熱部６１ａの下面部の周縁から下方に向かって内径が漸次拡大するように形成された円筒形状の部位である。
【００８５】
つまり、反射部６１ｂは、光照射側に開口を有し、ＬＥＤユニット１からの光を反射するように構成されている。例えば、反射部６１ｂは、絶縁性を有する白色の合成樹脂によって構成されている。なお、反射率を向上させるために、反射部６１ｂの内面に反射膜をコーティングしてもかまわない。なお、反射部６１ｂは、合成樹脂製のものに限定されず、金属板をプレス加工して形成されたような金属製の反射板を用いてもよい。
【００８６】
電源回路６２は、ＬＥＤユニット１に対して直流電力を供給するための部材である。つまり、電源回路６２には、交流電力を直流電力に変換するための回路素子（電子部品）などが配置されており、電源回路６２は、交流電力を受電して、直流電力に変換し、リード線６２ａを介して、当該直流電力をＬＥＤユニット１に供給する。なお、ＬＥＤユニット１の調光を行うための電子部品等が電源回路６２に配置されており、照明器具６０がＬＥＤユニット１を調光可能な構成等として実現されていてもかまわない。
【００８７】
以上のように、本発明の実施の形態２に係る照明装置１００によれば、上記実施の形態１に係るＬＥＤユニット１を備えているため、上記実施の形態１と同様の効果を奏する。なお、本実施の形態において、上記実施の形態１及びその変形例と同様の変形を施してもかまわない。
【００８８】
以上、本発明の実施の形態及びその変形例に係る照明用光源としてのＬＥＤユニット及び照明装置１００について説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００８９】
また、上記実施の形態及びその変形例を任意に組み合わせて構築される形態も、本発明の範囲内に含まれる。また、上記実施の形態及びその変形例の部分的な構成を、適宜組み合わせてなる構成であってもよい。
【００９０】
例えば、上記の実施の形態及びその変形例では、ＬＥＤユニットは、１つまたは２つの第二面部を備えていることとしたが、第二面部の数は限定されず、３つ以上の第二面部を備えていることにしてもかまわない。また、ＬＥＤユニットは、底面の外周部の全周にわたって第二面部が形成されていてもよい。
【００９１】
また、上記の実施の形態及びその変形例では、第二面部は、支持台または絶縁体の底面に形成されていることとしたが、例えば支持台または絶縁体の外周部を切り欠いて、切り欠いた箇所における筐体１０の底面部を第二面部として形成してもよい。
【００９２】
また、上記の実施の形態及びその変形例では、第二面部は、支持台または絶縁体などの外周部に段差や傾斜面を加工することによって形成されることとしたが、例えば当該外周部を折り曲げることによって、第二面部を形成することにしてもよい。
【００９３】
また、上記の実施の形態及びその変形例において、発光部からの光を集光するためのレンズやリフレクタ等の光学部品、または、色調調節のための光学フィルタ等を用いてもよい。但し、これらの部品は、本発明の必須の構成ではない。
【００９４】
また、上記の実施の形態及びその変形例では、発光部２１は実装基板２０上にＬＥＤチップを直接実装したＣＯＢ型の構成としたが、これに限らない。例えば、樹脂成型されたキャビティの中にＬＥＤチップを実装して当該キャビティ内に蛍光体含有樹脂を封入したパッケージ型のＬＥＤ素子を用いて、このＬＥＤ素子を基板上に複数個実装することで構成された表面実装型（ＳＭＤ：Ｓｕｒｆａｃｅ  Ｍｏｕｎｔ  Ｄｅｖｉｃｅ）の発光部を用いてもかまわない。
【００９５】
また、上記の実施の形態及びその変形例では、発光部２１は、青色発光ＬＥＤと黄色蛍光体とによって白色光を放出するように構成したが、これに限らない。例えば、赤色蛍光体及び緑色蛍光体を含有する蛍光体含有樹脂を用いて、これと青色発光ＬＥＤと組み合わせることによりに白色光を放出するように構成してもかまわない。
【００９６】
また、発光部２１は、青色以外の色を発光するＬＥＤを用いてもかまわない。例えば、ＬＥＤとして紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【００９７】
また、上記の実施の形態及びその変形例では、発光素子２１ａとしてＬＥＤを例示したが、半導体レーザ等の半導体発光素子、有機ＥＬ（Ｅｌｅｃｔｒｏ  Ｌｕｍｉｎｅｓｃｅｎｃｅ）または無機ＥＬ等の発光素子を用いてもよい。
【符号の説明】
【００９８】
１、２、３  ＬＥＤユニット（照明用光源）
１ａ  底面
１０  筐体
１１  第一筐体側面部
１１ａ、１１ｂ  第一筐体平面部
１１ｃ  第一筐体凹部
１２  第二筐体側面部
１２ａ、１２ｂ  第二筐体平面部
１２ｃ  第二筐体凹部
１３  第三筐体側面部
１３ａ、１３ｂ  第三筐体平面部
１３ｃ、１３ｄ  筐体曲面部
１４、１５、１６、１７  筐体突出部
２０  実装基板
２１  発光部
２１ａ  発光素子
２２、２３  コネクタ
２２ａ、２３ａ  リード線先端部
３０、１３０  絶縁体
４０、１４０、２４０  支持台
４０ａ、１４０ａ  支持台底面
４０ｂ、１４０ｂ、２４０ｂ  第一面部
４１  第一支持台側面部
４１ａ、４１ｂ  第一支持台平面部
４１ｃ  第一支持台凹部
４２  第二支持台側面部
４２ａ、４２ｂ  第二支持台平面部
４２ｃ  第二支持台凹部
４３  第三支持台側面部
４３ａ、４３ｂ  第三支持台平面部
４３ｃ、４３ｄ  支持台曲面部
４４、４５  外周部
４４ａ、４５ａ、１３１、１４４ａ、１４５ａ  第二面部
４４ｂ、４５ｂ、４６、４７  支持台溝部
６０  照明器具
６１  器具本体
６１ａ  放熱部
６１ｂ  反射部
６２  電源回路
６２ａ  リード線
７０  作業台
１００  照明装置
２００  壁
【図１Ａ】
2014175266.tif 000003
【図１Ｂ】
2014175266.tif 000004
【図２】
2014175266.tif 000005
【図３】
2014175266.tif 000006
【図４】
2014175266.tif 000007
【図５】
2014175266.tif 000008
【図６】
2014175266.tif 000009
【図７】
2014175266.tif 000010
【図８】
2014175266.tif 000011
【図９】
2014175266.tif 000012
【図１０】
2014175266.tif 000013
【図１１】
2014175266.tif 000014
【図１２】
2014175266.tif 000015
【図１３】
2014175266.tif 000016
【図１４】
2014175266.tif 000017